(57)【要約】      （修正有）【課題】長期保存の効果を達成することができる、遺骨容器を提供する。【解決手段】遺骨容器は、その上に1つの穿孔１１１が設置されており、穿孔１１１内にはバルブ体２０が配設されている。バルブ体２０は少なくとも１つの流道を有し、前記流道は制御を通じて開閉動作を行うことができる。開いた時に、前記流道は、例えば窒素、脱酸素剤、或いは防カビ殺菌剤等の遺骨保護材料を遺骨容器内部に注入させることができる。【選択図】図１
0003156941.tif 000002
【実用新案登録請求の範囲】
【請求項１】
遺骨を収納する本体を備える遺骨容器であって、
前記本体には少なくとも1つの穿孔が設置され、前記穿孔には1つのバルブ体が装備され、前記バルブ体を通じて前記本体内部が1つのビンと相互に通じており、前記バルブ体には少なくとも1つの流道があり、前記バルブ体によって、前記流道の開閉を制御できる一方、前記ビンの内部には遺骨が長期間保存できる保護材料を充填するとともに、前記保護材料を前記バルブ体の前記流道を通じて前記本体内部の遺骨容器に注入できることを特徴とする、遺骨容器。
【請求項２】
前記本体内には1つの内筒をさらに設置し、前記内筒は1つの組合せ部品と1つの蓋体を順次覆って密封を形成し、前記組合せ部品上には前記穿孔を設置することを特徴とする、請求項１に記載の遺骨容器。
【請求項３】
前記組合せ部品は1つの上盤体と1つの下盤体とからなり、前記上、下盤体を相互に組み合せて中空の蓋形態を形成し、しかも前記上盤体には1つの円溝を設置することを特徴とする、請求項２に記載の遺骨容器。
【請求項４】
前記バルブ体は1つの下管体、1つの上管体、1つの塞体及び1つの管状バルブ・シャフトを含み、前記下管体と前記上管体は相互にネジ山で接合して前記穿孔に位置しており、前記上管体の頭頂部は1つの密封部を有し、前記密封部には少なくとも1つの貫通孔があり、前記塞体は圧縮可能な弾力性を有し、前記下管体と前記上管体の間に設置されるとともに、2つの前記流道を備え、前記バルブ・シャフトは少なくとも1つのパイプ部品を備え、前記パイプ部品の一端は前記ビンに接しており、前記バルブ・シャフトの前記パイプ部品は前記貫通孔を通じて前記塞体の前記流道に接続する時、前記2つの流道を流通状態とし、1つの前記流道は前記ビン内に保護材料を充填し、他の1つの前記流道は前記本体内にある元のガスを排出することを特徴とする、請求項１に記載の遺骨容器。
【請求項５】
前記ビンと前記バルブ体の通路間には1つの組合せパイプを接続し、前記組合せパイプには1つの軸向きに貫通した容孔を設置し、前記容孔の底面には横に伸びた長溝を設置し、前記長溝と前記容孔は相互に貫通しており、前記組合せパイプの一端は前記バルブ・シャフトに接続し、前記容孔と前記バルブ・シャフト内部を貫いていることを特徴とする、請求項４に記載の遺骨容器。
【請求項６】
前記バルブ・シャフトは1つの管部品を有し、前記塞体と前記下管体の間に1つのスプリングを介在し、前記スプリング頭頂部で前記塞体を推し前記下管体の前記密封部の前記貫通孔を密封し、1つの前記流道頭頂部の口径及び前記管部品の外径はいずれも前記貫通孔の口径より小さく、前記バルブ・シャフトの前記管部品が前記貫通孔を経て前記塞体の前記流道に進入する時、塞体を下に移動させるとともに、2つの前記流道を流通状態とすることを特徴とする、請求項４に記載の遺骨容器。
【請求項７】
前記下管体の底部は開口しており、前記上管体の前記密封部には2つの前記貫通孔を設置し、前記塞体の前記2つの流道はそれぞれ逆錘形を呈し、頭頂部が開口しており、底部が縮合しており、前記バルブ・シャフトには2つの管体があり、前記2つの管体はそれぞれ前記2つの貫通孔に接続しており、前記2つの流道を流通状態とし、前記バルブ・シャフトの一端は1つの管体の一端に接続し、前記管体の他端は前記ビンに接続していることを特徴とする、請求項４に記載の遺骨容器。
【請求項８】
前記塞体の2つの前記流道内にはそれぞれ1つのボール体及びスプリングを設置し、2つの前記ボール体は前記スプリングの圧力を受けて2つの前記貫通孔を密封できることを特徴とする、請求項４に記載の遺骨容器。
【請求項９】
前記蓋体には2つの前記穿孔を設置し、各前記穿孔には前記バルブ体の1つの流道を設置することを特徴とする、請求項４に記載の遺骨容器。
【請求項１０】
前記本体の底部には、前記穿孔を設置することを特徴とする、請求項１に記載の遺骨容器。
【考案の詳細な説明】
【技術分野】
【０００１】
本考案は一種のビン内に予め保護元素を充填したビンを収容して輸送できる遺骨容器に関するものである。
【背景技術】
【０００２】
周知の骨壷の構造は、一種の特許文献1に示す形式で、壷本体(A)と上蓋(B)からなり、且つ遺骨収納の空間を有して、遺骨収納空間は外界と開口部を通じて接触している。上蓋は壷本体の開口部を覆って封じる。
【０００３】
特許文献1の技術特徴は、(a)壷本体の開口部と上蓋の間に少なくとも1つのO型密封リングを設置して、壷本体の開口部と上蓋間の空隙を完全に密封する、(b)壷本体の開口部と上蓋の周辺等2つの部位のうち、1つの部位にほぞを設置し、別の1つの部位にはL型の溝を設置して、ほぞが溝の中にはめ込まれることで、上蓋をしっかり壷本体の開口部に密封することにある。
【０００４】
しかし、特許文献1に記載の技術は、遺骨を保護できる材料がスムーズ且つ自然に骨壷内に導入されず、遺骨を有効的及び長期間保存することができない。
【先行技術文献】
【特許文献】
【０００５】
【特許文献１】台湾実用新案登録第１１７１９５号明細書
【考案の概要】
【考案が解決しようとする課題】
【０００６】
上述の問題を解決するため、本考案の遺骨容器内部には予め遺骨を保護する材料を充填し、並びに制御手段を設置して、遺骨を保護する材料の内部注入を制御することで、遺骨を長期保存する目的を達成しようとするものである。
【課題を解決するための手段】
【０００７】
本考案の一種の遺骨容器は、その上に1つの穿孔を設置し、穿孔内にはバルブ体が装置されている。バルブ体は少なくとも1つの流道を有し、その流道は制御によって、開閉動作を行うことができる。開いた時に、流道は例えば窒素、脱酸素剤或いは防カビ殺菌剤等の遺骨保護材料を遺骨容器内部に注入させることができる。
【考案の効果】
【０００８】
本考案の遺骨容器設計により、保護材料を内部に注入する時、まず内部にある空気を排出し、それから保護材料を容器内部に注入して遺骨周辺を覆い、遺骨を防腐することで、遺骨の長期保存の効果が達成できる。
【図面の簡単な説明】
【０００９】
【図１】本考案の第1の実施例の分解図である。
【図２】本考案の第1の実施例の一部分解図である。
【図３】本考案の第1の実施例の下管体図である。
【図４】本考案の第1の実施例の一部組立図である。
【図５】本考案の第1の実施例のバルブ体断面図である。
【図６】本考案の第1の実施例の組合せパイプとバルブ体の結合俯瞰図である。
【図７】図6のA-A線の断面図である。
【図８】図7の丸囲いB部分の断面図である。
【図９】本考案の第1の実施例のビン、組合せパイプと本体の結合図である。
【図１０】図9の俯瞰図である。
【図１１】図10のA-A線の断面図である。
【図１２】本考案の第1の実施例の蓋体と本体の結合図である。
【図１３】本考案の第2の実施例の結合断面図である。
【図１４】図13の丸囲いC部分の断面図である。
【図１５】本考案の第3の実施例の結合断面図である。
【図１６】本考案の第4の実施例のバルブ体と組合せパイプの分解図である。
【図１７】本考案の第4の実施例のバルブ体密封の断面図である。
【図１８】本考案の第4の実施例のバルブ体と組合せパイプの結合断面図である。
【図１９】図18の丸囲いC部分の断面図である。
【図２０】本考案の第5の実施例図である。
【図２１】本考案の第6の実施例の分解図である。
【図２２】本考案の第6の実施例のバルブ体分解図である。
【図２３】本考案の第6の実施例の動作前の断面図である。
【図２４】図23の丸囲いB部分の断面図である。
【図２５】本考案の第7の実施例のバルブ体断面図である。
【図２６】本考案の第8の実施例の断面図である。
【図２７】図26の丸囲いB部分の断面図である。
【図２８】図26の丸囲いD部分の断面図である。
【考案を実施するための形態】
【実施例１】
【００１０】
図1乃至図12に示すのは本考案の第1の実施例である。それには遺骨容器本体10、バルブ体20、ビン40、組合せパイプ50及び音声器60が含まれる。各素子は以下に詳述する。
【００１１】
図1乃至図3に示すのは、本考案である遺骨容器の具体的実施例である。それには遺骨容器10、バルブ体20、ビン40、組合せパイプ50及び音声器60が含まれる。各素子は以下に詳述する。
【００１２】
遺骨容器本体10には内筒101があり、頭頂の開口部は順に1つの組合せ部品12及び1つの蓋体11で覆われている。組合せ部品12は1つの上盤体120及び1つの下盤体121が対になって1つの盤状中空体を形成し、上盤体120の頭頂面には1つの円槽122が設置され、1つの穿孔111が上盤体120及び下盤体121を貫通している。
【００１３】
バルブ体20には穿孔111が設置され、バルブ体20の開閉制御により、例えば窒素或いは非酸素ガス等の保護材料を遺骨容器内に注入させる。バルブ体20には下管体21、上管体22、塞体23、バルブ・シャフト24、ナット25及びスプリング26が含まれ、そのうち、下管体21と上管体22はネジで相互にネジ接合している。また、下管体21底部の環縁212及びナット25に合わせて穿孔111が位置決めされている。下管体21頭頂部凹面には円孔211が設置され、底部凹面には長孔213が設置されている。長孔213と円孔211は相互に貫通していて、長孔213の幅は円孔211の円径より小さくなっている。上管体22の底部は開口状を呈していて、頭頂部には密封部220があり、密封部220には1つの貫通孔221が設置されている。
【００１４】
塞体23は下管体21と上管体22の間に設置され、それは圧縮可能な弾性を有している。1つの軸方向の第1流道231が設置され、第1流道231の口径は貫通孔221の口径より小さく、しかも底部は縮合している。塞体23の両側にはそれぞれ1つの第2流道232が設置され、塞体23が密封部220から離れた時、第2流道232は貫通孔223を通じて外部と接続し、遺骨容器内に元からあるガスを排出する。
【００１５】
スプリング26は下管体21及び塞体23の間に設置され、スプリング26の頭頂部が塞体23を上に押上げて上管体22の密封部220と緊密に接触し、第1流道231を密封する。
【００１６】
バルブ・シャフト24は上管体22の頭頂部に挿入設置され、その底部には1つの第1管部品241が設置されている。第1管部品241の外径は貫通孔221の内径より小さくなっている。第1管部品241が貫通孔221、第1流道231内に挿入され、下管体21の底部から内筒101内に伸ばされると、第1管部品241は第1流道を支えて流通状態にし、同時に塞体23を押して密封部220から離し、第2流道232を流通状態にする。
【００１７】
組合せパイプ50は円柱形を呈していて、頭頂部から1つの軸方向の容孔51が設置されている。底面には横に伸びた長槽52が設置され、長槽52は容孔51と相互に貫通し、組合せパイプ50の底部に設置されたバルブ・シャフト24と相互貫通を形成している。組合せパイプ50は使用者に持ち運びの利便性及び防カビ脱酸素等保護材料の注入に提供する。
【００１８】
ビン40は保護材料を送出し、組合せパイプ50の容孔51、バルブ・シャフト24の第1管部品241及び塞体23の第1流道231を経て本体10の内筒内に注入する。ビン40には圧力があり、先に内筒101内部に元からある空気を第2流道232及び貫通孔221から排出する。そのうち、保護材料は窒素、非酸素のガス、保護剤、防カビ剤、乾燥剤、脱酸素剤等、遺骨を長期保存するガス状、液体状或いは固体顆粒状の材料とすることができる。
【００１９】
音声器60は組合せ部品12頭頂面の円槽122内に設置され、その中央には1つの縦向きに穿たれた貫通孔61が設置され、貫通孔61は穿孔111に正対し、且つバルブ体20の一部が貫通孔61内に設置されて、一部は組合せ部品12の表面に突出している。
【００２０】
図6乃至図11を参照されたい。組合せパイプ50の底部はバルブ・シャフト24が接続された後、第1管部品241から第1流道231を通過して内筒101内に伸びている。組合せパイプ50の頭頂部はビン40に接続して、ビン40内の例えば窒素、或いは非酸素ガス等の保護材料を内筒101内に送る。ビン40が送出する保護材料には適切な圧力があり、内筒内部の残余空気を長孔213、第2流道232及び貫通孔221を通じて排出するので、内筒101内部に注入した保護材料で遺骨を長期保存できる。充填動作が完了した後、バルブ・シャフト24及び組合せパイプ50を取外すと、塞体23の第1流道231は弾性により自動的に縮合密封する。しかも塞体23はスプリング26の圧力を受けて上管体22の密封部220に押し当てられ、第1流道231及び第2流道232をいずれも密封し、さらに蓋体11が図12に示すように蓋をする。
【実施例２】
【００２１】
図13と図14に示すのは第2の実施例である。内筒101には内ネジ山102があり、組合せ部品12には外ネジ山123が設置されていて、両者は内ネジ山102と外ネジ山123でネジ接合し固定する。
【実施例３】
【００２２】
図15に示すのは第3の実施例である。穿孔111が本体10の底部に設置されている。
【実施例４】
【００２３】
図16乃至図19に示すのは第4の実施例である。そのバルブ体20にはスプリング26が設置されていない。操作時には上管体22を旋回して上に移動させ、第2流道232と貫通孔221を流通状態にさせ、充填動作が完了した場合、バルブ・シャフト24及び組合せパイプ50を取外し、塞体23の第1流道231を縮合させて密封状態に回復し、さらに上管体23を旋回して下に移動させ、第2流道232を密封する。
【実施例５】
【００２４】
図20に示すのは第5の実施例である。組合せパイプ50が設置されておらず、ビン40が直接バルブ・シャフト24に組合せ接続され、ビン40にはスイッチ4１が設置されている。開いた時に、ビン40内の保護材料がバルブ体20を通って内筒101内に注入される。
【実施例６】
【００２５】
図21乃至図24に示すのは第6の実施例である。遺骨容器には本体10及び蓋体11が含まれ、穿孔111は蓋体11に設置されている。バルブ体20には下管体21、上管体22、塞体23及びバルブ・シャフト24が含まれている。下管体21の頭頂部内凹の円孔211にはネジ山があり、底部の小円孔213の内径は円孔211より小さく、外周には環縁212が設置されている。上管体22は外ネジ山を有し、上管体22と下管体21は相互にネジ接合する。上管体22の頭頂部には密封部220があり、密封部220には2つの貫通孔222、223が設置されている。塞体23は上管体22と下管体21の間に設置され、それは圧縮弾性を有している。その上には逆錐状を呈する第1流道231及び第2流道232が設置され、当該塞体23の底面には1つの仕切り板233が突出している。仕切り板233は第1流道231及び第2流道の端口の間に介在し、小円孔213を2つに仕切っている。バルブ・シャフト24の底部には2つの管部品241、242があり、管部品242は貫通孔223に伸びて第2流道232内に設置することができ、第2流道232を流通状態にさせる。管体30の一端は管部品241に接続している。ビン40はその上に1つの貫通孔43及び開閉つまみ42が設置されていて、貫通孔43は管体30に接続して、開閉つまみ42が開けられた時、保護材料は管体30、第1管部品241を通じて本体10の内筒101内部に注入される。
【実施例７】
【００２６】
図25に示すのは第7の実施例である。塞体23は圧縮弾性を有しておらず、塞体23の第1流道231及び第2流道232内にそれぞれボール体27及びスプリング271を設置して、それぞれ貫通孔222、223を塞いでいる。バルブ・シャフト24の2つの管部品241、242がそれぞれ流道231、232に挿入され、2つのボール体27を押して、2つの流道231、232を流通状態にする。
【実施例８】
【００２７】
図26乃至図28に示すのは第8の実施例である。蓋体11には2つの穿孔111が設置されていて、それぞれバルブ体20の第1流道231及び第2流道232が設置されている。
【産業上の利用可能性】
【００２８】
本考案の遺骨容器は工業製造技術で大量生産でき、使用者は死亡者の遺骨の長期保存が可能になる。
【符号の説明】
【００２９】
１０    本体
１０１  内筒
１０２  ネジ山
１１    蓋体
１１１  穿孔
１２    組合せ部品
１２０  盤体
１２１  盤体
１２２  円槽（又は円溝）
１２３  ネジ山
２０    バルブ体
２１    下管体
２１１  円孔
２１２  環縁
２１３  長孔又は小円孔
２２    上管体
２２０  密封部
２２１  貫通孔
２２２  貫通孔
２２３  貫通孔
２３    塞体
２３１  流道
２３２  流道
２３３  仕切り板
２４    バルブ・シャフト
２４１  （第１）管部品
２４２  （第２）管部品
２５    ナット
２６    スプリング
２７    ボール体
２７１  スプリング
３０    管体
４０    ビン
４１    スイッチ
４２    開閉つまみ
４３    貫通孔
５０    組合せパイプ
５１    容孔
５２    長槽（溝）
６０    音声器
６１    貫通孔
【図１】
0003156941.tif 000003
【図２】
0003156941.tif 000004
【図３】
0003156941.tif 000005
【図４】
0003156941.tif 000006
【図５】
0003156941.tif 000007
【図６】
0003156941.tif 000008
【図７】
0003156941.tif 000009
【図８】
0003156941.tif 000010
【図９】
0003156941.tif 000011
【図１０】
0003156941.tif 000012
【図１１】
0003156941.tif 000013
【図１２】
0003156941.tif 000014
【図１３】
0003156941.tif 000015
【図１４】
0003156941.tif 000016
【図１５】
0003156941.tif 000017
【図１６】
0003156941.tif 000018
【図１７】
0003156941.tif 000019
【図１８】
0003156941.tif 000020
【図１９】
0003156941.tif 000021
【図２０】
0003156941.tif 000022
【図２１】
0003156941.tif 000023
【図２２】
0003156941.tif 000024
【図２３】
0003156941.tif 000025
【図２４】
0003156941.tif 000026
【図２５】
0003156941.tif 000027
【図２６】
0003156941.tif 000028
【図２７】
0003156941.tif 000029
【図２８】
0003156941.tif 000030
【手続補正書】
【提出日】平成21年10月23日(2009.10.23)
【手続補正１】
【補正対象書類名】実用新案登録請求の範囲
【補正対象項目名】全文
【補正方法】変更
【補正の内容】
【実用新案登録請求の範囲】
【請求項１】
遺骨を収納する本体を備える遺骨容器であって、
前記本体には少なくとも1つの穿孔が設置され、前記穿孔には1つのバルブ体が装備され、前記バルブ体を通じて前記本体内部が1つのビンと相互に通じており、前記バルブ体には少なくとも1つの流道があり、前記バルブ体によって、前記流道の開閉を制御できる一方、前記ビンの内部には遺骨が長期間保存できる保護材料を充填するとともに、前記保護材料を前記バルブ体の前記流道を通じて前記本体内部の遺骨容器に注入できることを特徴とする、遺骨容器。
【請求項２】
前記本体内には1つの内筒をさらに設置し、前記内筒は1つの組合せ部品と1つの蓋体を順次覆って密封を形成し、前記組合せ部品上には前記穿孔を設置することを特徴とする、請求項１に記載の遺骨容器。
【請求項３】
前記組合せ部品は1つの上盤体と1つの下盤体とからなり、前記上盤体及び前記下盤体を相互に組み合せて中空の蓋形態を形成し、しかも前記上盤体には1つの円溝を設置することを特徴とする、請求項２に記載の遺骨容器。
【請求項４】
前記バルブ体は1つの下管体、1つの上管体、1つの塞体及び1つの管状バルブ・シャフトを含み、前記下管体と前記上管体は相互にネジ山で接合して前記穿孔に位置しており、前記上管体の頭頂部は1つの密封部を有し、前記密封部には少なくとも1つの貫通孔があり、前記塞体は圧縮可能な弾力性を有し、前記下管体と前記上管体の間に設置されるとともに、2つの前記流道を備え、前記バルブ・シャフトは少なくとも1つのパイプ部品を備え、前記パイプ部品の一端は前記ビンに接しており、前記バルブ・シャフトの前記パイプ部品は前記貫通孔を通じて前記塞体の前記流道に接続する時、前記2つの流道を流通状態とし、1つの前記流道は前記ビン内に保護材料を充填し、他の1つの前記流道は前記本体内にある元のガスを排出することを特徴とする、請求項１に記載の遺骨容器。
【請求項５】
前記ビンと前記バルブ体の通路間には1つの組合せパイプを接続し、前記組合せパイプには1つの軸向きに貫通した容孔を設置し、前記容孔の底面には横に伸びた長溝を設置し、前記長溝と前記容孔は相互に貫通しており、前記組合せパイプの一端は前記バルブ・シャフトに接続し、前記容孔と前記バルブ・シャフト内部を貫いていることを特徴とする、請求項４に記載の遺骨容器。
【請求項６】
前記バルブ・シャフトは1つの管部品を有し、前記塞体と前記下管体の間に1つのスプリングを介在し、前記スプリング頭の頂部で前記塞体を推し前記下管体の前記密封部の前記貫通孔を密封し、1つの前記流道頭頂部の口径及び前記管部品の外径はいずれも前記貫通孔の口径より小さく、前記バルブ・シャフトの前記管部品が前記貫通孔を経て前記塞体の前記流道に進入する時、塞体を下に移動させるとともに、2つの前記流道を流通状態とすることを特徴とする、請求項４に記載の遺骨容器。
【請求項７】
前記下管体の底部は開口しており、前記上管体の前記密封部には2つの前記貫通孔を設置し、前記塞体の前記2つの流道はそれぞれ逆錘形を呈し、頭頂部が開口しており、底部が縮合しており、前記バルブ・シャフトには2つの管体があり、前記2つの管体はそれぞれ前記2つの貫通孔に接続しており、前記2つの流道を流通状態とし、前記バルブ・シャフトの一端は1つの管体の一端に接続し、前記管体の他端は前記ビンに接続していることを特徴とする、請求項４に記載の遺骨容器。
【請求項８】
前記塞体の2つの前記流道内にはそれぞれ1つのボール体及びスプリングを設置し、2つの前記ボール体は前記スプリングの圧力を受けて2つの前記貫通孔を密封できることを特徴とする、請求項４に記載の遺骨容器。
【請求項９】
前記蓋体には2つの前記穿孔を設置し、各前記穿孔には前記バルブ体の1つの流道を設置することを特徴とする、請求項２に記載の遺骨容器。
【請求項１０】
前記本体の底部には、前記穿孔を設置することを特徴とする、請求項１に記載の遺骨容器。
【手続補正書】
【提出日】平成21年11月25日(2009.11.25)
【手続補正１】
【補正対象書類名】実用新案登録請求の範囲
【補正対象項目名】全文
【補正方法】変更
【補正の内容】
【実用新案登録請求の範囲】
【請求項１】
遺骨を収納する本体を備える遺骨容器であって、
前記本体には少なくとも1つの穿孔が設置され、前記穿孔には1つのバルブ体が装備され、前記バルブ体を通じて前記本体内部が1つのビンと相互に通じており、前記バルブ体には少なくとも1つの流道があり、前記バルブ体によって、前記流道の開閉を制御できる一方、前記ビンの内部には遺骨が長期間保存できる保護材料を充填するとともに、前記保護材料を前記バルブ体の前記流道を通じて前記本体内部の遺骨容器に注入できることを特徴とする、遺骨容器。
【請求項２】
前記本体内には1つの内筒をさらに設置し、前記内筒は1つの組合せ部品と1つの蓋体を順次覆って密封を形成し、前記組合せ部品上には前記穿孔を設置することを特徴とする、請求項１に記載の遺骨容器。
【請求項３】
前記組合せ部品は1つの上盤体と1つの下盤体とからなり、前記上盤体及び前記下盤体を相互に組み合せて中空の蓋形態を形成し、しかも前記上盤体には1つの円溝を設置することを特徴とする、請求項２に記載の遺骨容器。
【請求項４】
前記バルブ体は1つの下管体、1つの上管体、1つの塞体及び1つの管状バルブ・シャフトを含み、前記下管体と前記上管体は相互にネジ山で接合して前記穿孔に位置しており、前記上管体の頭頂部は1つの密封部を有し、前記密封部には少なくとも1つの貫通孔があり、前記塞体は圧縮可能な弾力性を有し、前記下管体と前記上管体の間に設置されるとともに、2つの前記流道を備え、前記バルブ・シャフトは少なくとも1つのパイプ部品を備え、前記パイプ部品の一端は前記ビンに接しており、前記バルブ・シャフトの前記パイプ部品は前記貫通孔を通じて前記塞体の前記流道に接続する時、前記2つの流道を流通状態とし、1つの前記流道は前記ビン内に保護材料を充填し、他の1つの前記流道は前記本体内にある元のガスを排出することを特徴とする、請求項１に記載の遺骨容器。
【請求項５】
前記ビンと前記バルブ体の通路間には1つの組合せパイプを接続し、前記組合せパイプには1つの軸向きに貫通した容孔を設置し、前記容孔の底面には横に伸びた長溝を設置し、前記長溝と前記容孔は相互に貫通しており、前記組合せパイプの一端は前記バルブ・シャフトに接続し、前記容孔と前記バルブ・シャフト内部を貫いていることを特徴とする、請求項４に記載の遺骨容器。
【請求項６】
前記バルブ・シャフトは1つの管部品を有し、前記塞体と前記下管体の間に1つのスプリングを介在し、前記スプリングの頭頂部で前記塞体を推し前記下管体の前記密封部の前記貫通孔を密封し、1つの前記流道頭頂部の口径及び前記管部品の外径はいずれも前記貫通孔の口径より小さく、前記バルブ・シャフトの前記管部品が前記貫通孔を経て前記塞体の前記流道に進入する時、塞体を下に移動させるとともに、2つの前記流道を流通状態とすることを特徴とする、請求項４に記載の遺骨容器。
【請求項７】
前記下管体の底部は開口しており、前記上管体の前記密封部には2つの前記貫通孔を設置し、前記塞体の前記2つの流道はそれぞれ逆錘形を呈し、頭頂部が開口しており、底部が縮合しており、前記バルブ・シャフトには2つの管体があり、前記2つの管体はそれぞれ前記2つの貫通孔に接続しており、前記2つの流道を流通状態とし、前記バルブ・シャフトの一端は1つの管体の一端に接続し、前記管体の他端は前記ビンに接続していることを特徴とする、請求項４に記載の遺骨容器。
【請求項８】
前記塞体の2つの前記流道内にはそれぞれ1つのボール体及びスプリングを設置し、2つの前記ボール体は前記スプリングの圧力を受けて2つの前記貫通孔を密封できることを特徴とする、請求項４に記載の遺骨容器。
【請求項９】
前記蓋体には2つの前記穿孔を設置し、各前記穿孔には前記バルブ体の1つの流道を設置することを特徴とする、請求項２に記載の遺骨容器。
【請求項１０】
前記本体の底部には、前記穿孔を設置することを特徴とする、請求項１に記載の遺骨容器。